【事件の表示】
　平成　５年特許願第３２４８２８号「液晶装置およびその製造方法」拒絶査定に対する審判事件〔平成　７年　２月１４日出願公開、特開平　７−　４３６９４、請求項の数（９）〕について、次のとおり審決する。
【結　論】
　原査定を取り消す。
　本願の発明は、特許すべきものとする。
【理　由】
（手続の経緯及び本願発明）
　本願は、平成５年１２月２２日の出願であって、その特許請求の範囲の請求項１ないし９に係る発明（以下、「本願発明１ないし９」という。）は、補正された明細書および図面の記載からみて、その請求項１ないし９に記載された事項により特定される次のとおりのものである。
「【請求項１】　少なくとも一方が透明の２枚の基板と、各基板表面に形成された電極層と、各電極層の上に形成された耐熱性高分子膜を有し、２枚の基板は各耐熱性高分子膜が互いに対向するように平行に配置され、両耐熱性高分子膜間にネマティック層を示す液晶層が封入され、前記液晶層には２枚の基板間に所定間隔で架橋された複数の隔壁が設けられたことを特徴とする液晶装置。
【請求項２】　２枚の基板が透明であり、２枚の基板の外側に偏光方向が互いに垂直になるように配置された２枚の偏光板をさらに備えたことを特徴とする請求項１記載の液晶装置。
【請求項３】　耐熱性高分子膜は、封入された液晶が液晶相から等方相に転移する温度より高いガラス転移点を有することを特徴とする請求項１記載の液晶装置。
【請求項４】　耐熱性高分子膜がポリイミド、ポリアミック酸、または部分イミド化ポリアミック酸のうち少なくとも１種を含有することを特徴とする請求項１記載の液晶装置。
【請求項５】　隔壁が光重合性または光硬化性の高分子材料からなることを特徴とする請求項１記載の液晶装置。
【請求項６】　１方の偏光板の外面に反射板がさらに形成された請求項２記載の液晶装置。
【請求項７】　表面に信号電極と走査電極と絵素電極と薄膜トランジスタとが形成され、さらにその上に耐熱性高分子膜が積層された第１基板と、表面に対向電極が形成され、さらにその上に耐熱性高分子膜が積層された第２基板を有し、第１および第２基板は両耐熱性高分子膜が互いに対向するように平行に配置され、両耐熱性高分子膜間にネマティック層を示す液晶層が封入され、前記液晶層には第１および第２基板間に所定間隔で架橋された複数の隔壁が設けられ、マトリクス駆動型表示装置として構成されたことを特徴とする液晶装置。
【請求項８】　表面に信号電極と絵素電極と非線形素子とが形成され、さらにその上に耐熱性高分子膜が積層された第１基板と、表面に走査電極が形成され、さらにその上に耐熱性高分子膜が積層された第２基板を有し、第１および第２基板は両耐熱性高分子膜が互いに対向するように平行に配置され、両耐熱性高分子膜間にネマティック層を示す液晶層が封入され、前記液晶層には第１および第２基板間に所定間隔で架橋された複数の隔壁が設けられ、マトリクス駆動型表示装置として構成されたことを特徴とする液晶装置。
【請求項９】　少くとも一方が透明な２枚の基板の各表面に電極層を形成し、各電極層の上に耐熱性高分子膜を形成し、２枚の基板を各耐熱性高分子膜が互いに対向するように平行に配置し、両耐熱性高分子膜間に所定温度でネマティック層を示す液晶と、光重合性または光硬化性の高分子材料またはその前駆体を少くとも含有する材料との混合物を封入して液晶層を形成し、一方の基板上にフォトマスクを設置して、液晶層に部分的に光を照射して相分離を行わせることにより、２枚の基板間に所定間隔で架橋された複数の隔壁を形成し、液晶相がフレデリクス転移を起こす電界よりも大きな電界を液晶層に印加しながら、液晶層を等方相からネマティック相に転移させることを特徴とする液晶装置の製造方法。」
　
（引用例）
　これに対して、原査定の拒絶理由に引用された特開平５−２７２４２号公報（以下、「引用例１」という。）には、
「【請求項１】　駆動電極と配向膜を積層形成した一対の透明基板を、狭い空間を隔てて対向させ、該空間に液晶を注入封止して液晶セルを設けてなる液晶表示装置において、液晶分子が基板面の垂直軸に沿ってツイスト状態、あるいは基板面に対してホメオトロピック、ホモジニアス状態になって配列されており、更に基板面に平行でかつ基板からの任意の距離にある液晶層の平面内の液晶分子の配列が、該平面内で不規則に配列されていることを特徴とする液晶表示装置。
　・・・
【請求項４】　液晶分子配列を乱す材料が、ネットワーク状物質である請求項３の液晶表示装置。
【請求項５】　ネットワーク状物質が液晶層中にそれぞれ小さな間隔をおいて不連続的に形成されている請求項４の液晶表示装置。
【請求項６】　ネットワーク状物質が液晶層中に分散された複数の小塊として形成されている請求項４の液晶表示装置。
【請求項７】　ネットワーク状物質が有機ポリマーからなる特徴とした請求
項４の液晶表示装置。
【請求項８】　ネットワーク状物質が光重合性ポリマーである請求項１の液
晶表示装置。」（特許請求の範囲）、
「【００１５】
　次に本発明の好ましい第三の態様について説明する。第三の態様の液晶表示装置は駆動電極を形成した一対の透明基板を狭い空間を挟んで対向させ、該空間にコレステリック液晶またはカイラルネマティック液晶を注入封止してなる液晶セルであって該液晶のツイストの起点での液晶分子の配列がランダムである該液晶セルと、該液晶セルの両側に光軸方向が交差するように配置された偏光板とを少なくとも具備することを特徴とする。以下、更に第三の態様の発明について第４図および第５図に基づき説明する。図４は第三の態様の発明の原理を説明する図である。同図は液晶層の断面の拡大模式図であり、ツイストの起点がランダムな例えばカイラルネマティック液晶においては液晶分子５０の配向もランダムとなっている。
【００１６】
　そして同一視角方向でもその液晶層中での位置によって、すなわちＡ，Ｂ，Ｃの各位置によって液晶分子５０の配向方向が異なることがわかる（配向方向の分散）。図５に図４の透過率−印加電圧特性を示してあり、微視的に見た場合に同一視角方向でもＢ，Ｃ線上では異なる印加電圧でそれぞれの小さな極大値、例えばＭB ，ＭC が生じているが、その視角方向での平均値としては太い実線で示したごとく表示の反転現象が抑止される。このようにこの第三の態様発明によれば液晶セル１０の液晶５がツイストの起点がランダムな液晶であり、液晶分子５０の配向方向を液晶５層全体にわたって充分に分散されている。なお、ツイストの起点をランダムとするには、配向膜のラビング処理を行わなければよい。このように、液晶分子５０の配向が視角方向に対して平均化されるので、見かけ上の透過率−印加電圧特性で極大値は平均化されて異常な表示の反転現象がなくなり表示性能が改善される。さらに、例えばカイラルネマティック液晶を使用した液晶表示パネルは、液晶５層中にドメインウォール１１（液晶の配向が不連続になっている壁面）（図４参照）が発生し、さらにドメインウォール１１の状態が以前に印加された電圧によって異なるため、透過率−印加電圧特性上にヒステリシスが発生し、表示の残像の原因となる。しかし、液晶５層中に更にネットワーク状物質、小粒塊、または、突起の何れか或いはそれらの複数を組合わせて形成することによって、液晶５中に発生したドメインウォール１１が分断されることによりドメインウォール１１の状態が安定になるまでの時間が短くなる。また、電界を印加したときにドメインウォール１１が消失しなくなることによりドメインウォール１１の有無による液晶５のメモリー特性が抑えられ、透過率?印加電圧特性上のヒステリシスをなくすことができる。また、液晶５層中にネットワーク状物質、小粒塊、または突起の何れか或いはそれらの複数を組み合わせて形成することによって、液晶５のツイストの起点が変化する周期が小さくなり、ツイストの起点が変化するために生じる表示のムラが目立たなくなる。以下、本発明を実施例により更に説明するが、本発明がこれらの実施例に限定されないことはもとよりである。」
「【００２５】
　図１７は他の例を示す図である。図中、６ｂはネットワーク状物質である。本実施例ではネットワーク状物質６ｂを液晶５層の中に小さな間隔をおいて不連続的に形成したことが特徴である。前記一例での全面紫外線照射に対して紫外線照射を不連続的に間隔をあけて行ったり、あるいは、重合開始剤をあらかじめ小さい間隔で不連続的に基板側に塗布しておいてから紫外線硬化性のプレポリマー：ノーランド社（製）ＮＯＡ６５を混合した液晶（カイネルネマック液晶）５を注入し紫外線を照射するなどの方法でネットワーク状物質６ｂを形成すればよく、この場合は平均的な透過率を上げて液晶表示パネルの明るさへの影響をさらに小さくできる利点がある。さらに、この場合ネットワーク状物質が形成されていない液晶領域が直線状になるようにすれば、その液晶領域の中心に発生するドメインウォール（液晶の配向が不連続になっている壁面）の形状も時間に対して安全な直線状となり、応答時間が速くなるという効果がある。」と記載されている。又、図１７には、ネットワーク状物質６ｂが、２枚の配向膜間を架橋状に２個所に形成されたものが示されている。
　上記によれば、引用例１には、次の発明が記載されているものと認める。
「駆動電極とラビング処理を行わない配向膜を積層形成した一対の透明基板を、狭い空間を隔てて対向させ、該空間にカイラルネマチック液晶を注入封止して液晶セルを設けてなる液晶表示装置において、液晶分子が基板面の垂直軸に沿ってツイスト状態になって配列されており、更に光重合性ポリマーからなるネットワーク状物質が液晶層中にそれぞれ小さな間隔をおいて、架橋状に不連続的に形成されている液晶表示装置。」
　
　同じく、第１８回液晶討論会予稿集（１９９２）ｐ．４２−４３（以下、「引用例２」という。）には、
「ここでは、通常の液晶表示素子等と同様に平行平板の電極構造を有する液晶セルを用いて、ラビングを行わない基板界面を有するネマチック液晶セルにおける、液晶分子配向状態のメモリー効果について調べた結果について報告する。この場合には、液晶セルを一度等方相まで加熱し、電圧を印加したまま液晶相まで冷却するとセルの白濁現象が見られ、強い散乱特性が得られた。・・・ＩＴＯガラス基板に配向膜としてＰＶＡを塗布し、ラビング等の表面処理を全く行わずにセルを構成し、Ｐ形ネマチック液晶・・・を等方相で注入した。」と記載されている。
　
（対比・判断）
［本願発明１について］
　本願発明１と引用例１及び２に記載された発明とを対比する。
　まず、本願発明は、液晶層内に誘電性物質による隔壁を設けることによって、外力による液晶分子の配向乱れを防止することを、その課題としている。（本願明細書【０００７】参照。）
　これに対し、引用例１記載の発明は、前掲のように、カイラルネマティック液晶を使用した液晶表示パネルは、透過率−印加電圧特性上にヒステリシスが発生し、表示の残像の原因となるのを、液晶層中に更にネットワーク状物質、小粒塊、または、突起の何れか或いはそれらの複数を組合わせて形成することによって、液晶中に発生したドメインウォールが分断されることによりドメインウォールの状態が安定になるまでの時間が短くなることなどにより、透過率−印加電圧特性上のヒステリシスをなくし、また、液晶層中にネットワーク状物質、小粒塊、または突起の何れか或いはそれらの複数を組み合わせて形成することによって、液晶のツイストの起点が変化する周期を小さくし、ツイストの起点が変化するために生じる表示のムラが目立たなくなることを目的としている。
　そして、引用例１及び２には、少なくとも、本願発明１の構成要件である「液晶層には２枚の基板間に所定間隔で架橋された複数の隔壁が設けられ」ることは記載がない。なお、引用例１の図１７及びこれに関する詳細な説明からは、ネットワーク状物質が２枚の基板間に、架橋状に形成されていることは読みとれるが、外力による液晶分子の配向乱れを防止するために、「所定間隔で架橋された隔壁」が記載されているとまでは読みとれない。
　しかも、本願発明１は、上記構成要件を有することにより、上記課題を解決し、外力による液晶分子の配向乱れを防止するという、引用例記載のものとは異なる作用効果を奏するものである。
　したがって、本願発明１は、引用例１及び２記載の発明に基づいて、当業者が容易に発明をすることができたものであるとはいえない。
　
［本願発明２〜６について］
　本願発明２〜６は、本願発明１にさらに構成を付加したものであるから、本願発明１に対すると同様の理由により、当業者が容易に発明をすることができたものであるとはいえない。
　
［本願発明７及び８について］
　本願発明７及び８と引用例１及び２に記載された発明とを対比する。
　引用例１及び２には、本願発明７及び８の「液晶層には２枚の基板間に所定間隔で架橋された複数の隔壁が設けられ」る点の記載がないから、本願発明１に対すると同様の理由により、当業者が容易に発明をすることができたものであるとはいえない。
　
［本願発明９について］
　本願発明９と引用例１及び２に記載された発明とを対比する。
　引用例２には、本願発明９の「２枚の基板を各高分子膜が互いに対向するように平行に配置し、両高分子膜間に液晶層を形成し、液晶相がフレデリクス転移を起こす電界よりも大きな電界を液晶層に印加しながら、液晶層を等方相からネマティック相に転移させること」に相当する事項が記載されているが、引用例１及び２には、「一方の基板上にフォトマスクを設置して、液晶層に部分的に光を照射して相分離を行わせることにより、２枚の基板間に所定間隔で架橋された複数の隔壁を形成」することは、記載されていない。
　そして、本願発明９は、上記構成を有することにより、課題を解決し、外力による液晶分子の配向乱れを防止する液晶装置の製造方法を提供できるという作用効果を奏するものである。
　したがって、本願発明９は、引用例１及び２記載の発明に基づいて、当業者が容易に発明をすることができたものであるとはいえない。
　
（むすび）
　以上のとおり、本願発明１ないし９は、引用例１及び２記載の発明に基づいて、当業者が容易に発明をすることができたものであるとすることはできない。
　
　また、他に本願を拒絶すべき理由を発見しない。
　よって、結論のとおり審決する。